(57)【要約】【課題】本発明は、印字物に芳香作用を付与し、且つ芳香作用を持続させるために、香料成分を安定に溶解、分散した液体噴射用液体と、液体噴射用装置、液体噴射ヘッド提供することを目的とする。【解決手段】本発明は上記課題を解決するために、剪断減粘性付与剤と、溶剤と、香料成分とを含んでなり、温度２５℃で１００００ｓ-1における粘度が、３乃至３０ｍＰａ・ｓであることを特徴とする液体噴射用液体を採用する。【選択図】図１
2012246396.tif 000002
【特許請求の範囲】
【請求項１】
剪断減粘性付与剤と、溶剤と、香料成分とを含んでなり、温度２５℃でせん断速度１００００ｓ-1における粘度が、３乃至３０ｍＰａ・ｓである液体噴射用液体。
【請求項２】
前記剪断減粘性付与剤は、無機粒子であることを特徴とする請求項１に記載の液体噴射用液体。
【請求項３】
前記香料成分が前記無機粒子の内部に含まれていることを特徴とする請求項２に記載の液体噴射用液体。
【請求項４】
前記無機粒子が、チューブ状、又は中空粒子状であることを特徴とする請求項３記載の液体噴射用液体。
【請求項５】
前記無機粒子が、珪素、マグネシウム、カーボン、チタン、アルミニウム、ジルコニウム及びこれらの化合物の中から選択される物質であることを特徴とする請求項２乃至４のいずれかに記載の液体噴射用液体。
【請求項６】
前記無機粒子が、ＳｉＯ2・ｎＨ2Ｏ、Ｓｉ（ＯＨ）2、酸化マグネシウム、炭酸マグネシウムのいずれかであることを特徴とする請求項２乃至４のいずれかに記載の液体噴射用液体。
【請求項７】
請求項１乃至６の何れか一項に記載の液体噴射用液体を使用する液体噴射記録ヘッドであって、圧電素子によってチャネルが形成されたアクチュエータープレートと、前記チャネルに液体を供給する液体室が形成された液体室プレートと、被記録媒体に向けて前記液体噴射用液体を吐出するノズルが形成されたノズルプレートとを有することを特徴とする液体噴射記録ヘッド。
【請求項８】
請求項７に記載の液体噴射ヘッドを有する液体噴射記録装置であって、
被記録媒体を搬送する一対の搬送手段と、前記液体噴射ヘッドに液体噴射用液体を供給する液体供給手段と、前記液体噴射ヘッドを被記録媒体の搬送方向と略直交する方向に走査させる走査手段とを備えることを特徴とする液体噴射記録装置。
【発明の詳細な説明】
【技術分野】
【０００１】
本発明は、印字物に芳香作用を付与し、且つ芳香作用を持続させるために、香料成分を安定に溶解、分散した液体噴射用液体と、液体噴射用装置、液体噴射ヘッドに関する。
【背景技術】
【０００２】
近年の液体噴射記録（インクジェット記録）方式は、印刷版を用意する必要のある印刷方式と異なり、一台の機械で様々なパターンを印字できることから、例えば梱包剤やポスター、車体のラッピングなど幅広い分野での利用が可能なものである。
【０００３】
従来、液体噴射記録方式としてはコンティニュアスタイプとオンデマンドタイプの２つの方式に大別することができる。コンティニュアスタイプは、例えば、液体噴射用液体（インク）を粒子状にして噴射し、帯電させた液体噴射用液体粒子の進行経路に電界を形成することにより、液体噴射用液体粒子を偏向させて対象物に記録することができるものなどが挙げられる。また、オンデマンドタイプは、例えば、液体噴射記録ヘッド（インクジェットヘッド）の噴射孔（ノズル）から画像に応じて液体噴射用液体を吐出させて、紙、フィルム、布帛等の被記録媒体に印字を行うものなどが挙げられる。
【０００４】
これらの液体噴射記録の長所としては、直接インクを飛ばして被記録媒体を印刷する記録方式であるためにプロセスが簡単であることに加えて、インパクト方式ではないために無騒音である、カラー化が容易である、高速記録が可能である、普通紙が使用できるため低ランニングコストである、微小な液体噴射用液滴を吐出させるために高解像度の記録が可能である等の優れた特徴が挙げられる（特許文献１）。
【０００５】
また、液体噴射用液体中に樹脂を添加することにより、液体噴射用液体溶剤の揮発に伴い樹脂皮膜で着色剤を覆う試みや（特許文献２）、光硬化樹脂を添加し印字後の光照射で液体噴射用液体の硬化を促進する試みが試されるなど（特許文献３）、耐候性、耐擦過性、耐溶剤性などの耐久性の向上に関する研究は鋭意行われている。
【０００６】
一方、印刷物の用途が多岐に渡るに伴い、昨今では印刷物から香りを発生させるなどの特殊な性能を印刷物に付与したいというニーズが生じている。これらのニーズに対して香成分をインクに添加するなどの工夫がなされているが、適用分野はスクリーン印刷やオフセット印刷の分野が主である。インクジェットの分野においてもインク自体に香料成分を添加するものが提案されているが（特許文献４、５）、スクリーン印刷やオフセット印刷に置き換わるまでには至っていない。
【０００７】
また、例えばインクに香油を直接添加した場合、被記録媒体上に塗布されたインクの乾燥時に溶剤が揮発するのと同時に香油の蒸発も生じてしまって印刷物から発生する芳香が弱まったり、インクの乾燥後に残留した香油も暴露されているために大気中に蒸発しやすく、印刷物に芳香作用を付与できる期間が非常に短いなどの課題も多い。
【０００８】
そこで、スクリーン印刷やオフセット印刷の分野では、香油を中空粒子に封入してインクに添加することにより、被記録媒体上に塗布されたインクの乾燥時における香油の蒸発を抑制でき、且つ香油が暴露されている状態で塗布されていないため、中空粒子から香の徐々に放出されて（徐放作用）、印刷物に芳香作用を付与できる期間が飛躍的に延ばすことができる（特許文献６）。
【先行技術文献】
【特許文献】
【０００９】
【特許文献１】特開平５−６５４４３号公報
【特許文献２】特開平５−２９５３１３号公報
【特許文献３】特開平８−０６００５４号公報
【特許文献４】特開昭５９−１２９７７号公報
【特許文献５】特開２００２−３３８８６３号公報
【特許文献６】特開平６−２６２８８２号公報
【発明の概要】
【発明が解決しようとする課題】
【００１０】
しかしながら、特許文献４と５に記載されている技術は、香料成分が添加された液体噴射用液体について具体的な物性や組成がほとんど記載されておらず、香料成分の添加による液体噴射用液体の物性や安定性への影響について未知な部分が多く、実施には更なる調査が必要となっている。
【００１１】
特に、特許文献４と５に記載されている液体噴射用液体を使用した場合には、低温環境下において液体噴射用液体の粘度が上昇して噴射孔から噴射されないことや、香料成分が分離してしまうなどの不具合を生じ易い。香料成分が分離した場合には、液体噴射用液体中で香料成分が油滴として存在しやすくなってしまい、擬視的にエマルション状態を形成して、液体噴射用液体の流動性が大きく変化してしまう。一方、高温環境下では液体噴射用液体の粘度が低下しすぎてしまい、印刷中に飛沫が発生するなどの不具合も予想される。
【００１２】
また、特許文献６に記載されている技術は、香油を中空粒子に封入した状態で、インクに添加するため、その分散性の確保が大きな課題となる。中空粒子の分散には、従来公知の分散剤を使用できるが、一般に低粘度液体を使用するインクジェット分野において中空粒子の分散性を確保するのは難しく、特許文献６の技術をそのままインクジェット分野に展開することはできない。
【００１３】
一方で、中空粒子の粒径が小さすぎると、内包できる香油量が必然的に少なくなり、被記録媒体上に塗布した後に印刷物から生じてくる香が弱くなったり、全く感じられなくなったりしてしまう。さらに、従来香料成分を内包させるために広く使用されている中空粒子の壁材は有機物であり、インクに使用する溶剤や香料成分の種類によっては、当該中空粒子の壁材である有機物が溶出、崩壊して所望の機能を付与できなくなる場合があるため、必然的にインクの設計自由度は狭くなってしまう。
【００１４】
具体的に、画像形成できる液体噴射用液体としてインク溶剤や香料成分に溶解しない壁材にて中空粒子を製造する必要があるし、印刷物に芳香作用を付与できる香油量を内包でき、且つノズルから射出できる粒径の中空粒子を安定してインク中に分散する必要もある。これらの条件を両立し得る中空粒子の選定や、分散安定性を確保できるようなインク組成設計を図る必要がある。
【００１５】
本発明は、上記課題を克服するため、従来の中空粒子よりも分散安定性が良く、且つ香料成分を含浸、又は内包できる粒子を液体噴射用液体に添加することによって、印刷物に芳香作用を付与し、且つその芳香作用を持続させられる液体噴射用液体、液体噴射記録ヘッド及び液体噴射記録装置を提供することを目的とする。
【課題を解決するための手段】
【００１６】
上記課題を解決するため、本発明の液体噴射用液体は、剪断減粘性付与剤と、溶剤と香料成分とを含んでなり、温度２５℃でせん断速度１００００ｓ-1における粘度が、３乃至３０ｍＰａ・ｓである、という構成を採用する。
【００１７】
剪断減粘性付与剤を含有することにより、剪断減粘性を示す。ここで、「剪断減粘性」とは、静置状態では粘度が高いが、振動やずり等、外部からの圧力の印加により、粘度が低くなることを意味する。したがって、液体噴射ヘッドからの吐出時には粘度が低くて良好な吐出性を示すが、保管時など静置される場合は、圧力の印加が解消され、粘度が上昇するので、液体噴射用液体の内容物の沈降、分離を抑制することができるものである。また、液体噴射用液体を飛翔させるためには、噴射孔でかかる剪断速度である１００００ｓ-1のときに３乃至３０ｍＰａ・ｓとなっていれば良く、特に静置時の粘度を特定するものではない。このような特性を有する液体噴射用液体に、香料成分を添加することによって、香料成分が経時的に液体噴射用液体から分離することを抑制し、液体噴射用液体と香料成分の混和、分散の安定化を図ることができる。
【００１８】
また、本発明にかかる剪断減粘性付与剤が無機粒子である、という構成、香料成分が無機粒子の内部に含まれている構成、および無機粒子が、チューブ状、又は中空粒子状であるという構成を採用する。
無機粒子は、主にアルコール、エーテル、エステル類で構成される液体噴射用液体と香料成分に溶解し難く、上述した無機粒子を採用することによって、経時的にも安定した化学特性と物理特性を維持できる。
【００１９】
さらに、無機粒子が、珪素、マグネシウム、カーボン、チタン、アルミニウム、ジルコニウム及びこれらの化合物の中から選択される物質である、という構成を採用する。
珪素、マグネシウム、カーボン、チタン、アルミニウム、ジルコニウム及びこれらの化合物は、比較的汎用性が高く、価格も安価であることに加え、香料成分を含浸、又は内包させるために多孔質や、中空状や、チューブ状に加工しやすい特徴も有している。さらに、材質が無機物であるため、主にアルコールやエーテル、エステルを有する有機溶剤である香料成分や液体噴射用液体に使用する溶剤に溶解し難く、含浸、又は内包させる香料成分の選択肢を広げることができる。
【００２０】
さらに、無機粒子が、ＳｉＯ2・ｎＨ2Ｏ、Ｓｉ（ＯＨ）2、酸化マグネシウム、炭酸マグネシウムのいずれかである、という構成を採用する。
また、本発明に係る液体噴射用液体を使用する液体噴射記録ヘッドは、圧電素子によってチャネルが形成されたアクチュエータープレートと、チャネルに液体を供給する液体室が形成された液体室プレートと、被記録媒体に向けて液体噴射用液体を吐出するノズルが形成されたノズルプレートとを有することを特徴としている。
この構成によれば、本発明に係る液体噴射用液体を液体噴射記録ヘッドを用いて被記録媒体に噴射し、所望の印字及び記録等の作業を実施することができる。
【００２１】
また、本発明に係る液体噴射ヘッドを有する液体噴射記録装置は、被記録媒体を搬送する一対の搬送手段と、液体噴射ヘッドに液体噴射用液体を供給する液体供給手段と、液体噴射ヘッドを被記録媒体の搬送方向と略直交する方向に走査させる走査手段とを備えることを特徴としている。
この構成によれば、本発明に係る液体噴射ヘッドを液体噴射記録装置に搭載することができる。この構成を採用した事によって、液体噴射用液体を供給する手段を備え、被記録媒体に連続的に液体噴射用液体を噴射し、所望の印字及び記録等の作業を実施することができる。
【発明の効果】
【００２２】
剪断減粘性付与剤を含有することにより、剪断減粘性を示す。ここで、「剪断減粘性」とは、静置状態では粘度が高いが、振動やずり等、外部からの圧力の印加により、粘度が低くなることを意味する。したがって、液体噴射ヘッドからの吐出時には粘度が低くて良好な吐出性を示すが、保管時など静置される場合は、圧力の印加が解消され、粘度が上昇するので、液体噴射用液体の内容物の沈降、分離を抑制することができるものである。また、液体噴射用液体を飛翔させるためには、噴射孔でかかる剪断速度である１００００ｓ-1のときに３乃至３０ｍＰａ・ｓとなっていれば良く、特に静置時の粘度を特定するものではない。逆に、１００００ｓ-1の時の粘度が３ｍＰａ・ｓを下回ると、飛沫が発生しやすくなってしまい、画質の確保が困難になる。その一方で、１００００ｓ-1の時の粘度が３０ｍＰａ・ｓを上回ると、飛翔速度の異常を生じやすくなってしまう。
【００２３】
また、香料成分を無機材質に含浸、又は内包させて液体噴射用液体に添加することによって、主にアルコールやエーテル、エステルを有する有機溶剤である香料成分や液体噴射用液体に使用する溶剤に溶解し難く、含浸、又は内包させる香料成分の選択肢を広げることができる。特に、比較的汎用性が高い珪素、マグネシウム、カーボン、チタン、アルミニウム、ジルコニウム及びこれらの化合物を選択することで、製造コストも安価に抑えられることに加え、香料成分を含浸、または内包させるために多孔質や、中空状や、チューブ状に加工しやすいという利点も得ることができる。
【００２４】
さらに、無機物質の多くは溶媒中で電気的に引き合い、見かけ上において格子構造を形成することが広く知られており、つまり、別途剪断減粘性付与剤を添加しなくても、香料を含浸、又は内包した無機物を添加することによって、液体噴射用液体に剪断減粘性を付与できるものである。
【図面の簡単な説明】
【００２５】
【図１】本発明の実施例の含有成分および粘度を示す図である。
【図２】本発明の実施例と比較例の評価を示す図である。
【発明を実施するための形態】
【００２６】
温度２５℃におけるせん断速度１００００ｓ-1の粘度はＡｎｔｏｎ  Ｐａａｒ社製レオメーターＭＣＲ−３０１を用いて測定した。
【００２７】
（剪断減粘性付与剤）
本発明において、剪断減粘性付与剤は、インク組成物に剪断減粘性を付与するものである。
剪断減粘性付与剤としては、多糖類、多糖類の誘導体、多糖類の塩、多糖類の誘導体の塩、（メタ）アクリル系樹脂及び鉱物系物質が例示できる。ここで、「（メタ）アクリル系樹脂」とは、アクリル系樹脂及びメタクリル系樹脂の双方を指すものとする。
【００２８】
多糖類の誘導体としては、多糖類の一つ以上の水素原子が置換基で置換されたものが例示できる。なかでも、多糖類の水酸基を構成する一つ以上の水素原子が置換基で置換されたものが好ましい。
置換基の好ましいものとしては、アルキル基、ヒドロキシアルキル基、ヒドロキシアルキル基の一つ以上の炭素原子が酸素原子で置換されたエーテル結合を有する基、カルボキシアルキル基、カルバモイル基（−Ｃ（＝Ｏ）−ＮＨ2）、アルキルカルバモイル基、リン酸基（−Ｐ（＝Ｏ）−（ＯＨ）2）が例示できる。
【００２９】
置換基におけるアルキル基は、直鎖状、分岐鎖状及び環状のいずれでも良いが、直鎖状又は分岐鎖状であることが好ましく、炭素数が１〜１０であることが好ましい。
置換基におけるヒドロキシアルキル基としては、アルキル基の一つの水素原子が水酸基（−ＯＨ）で置換された一価の基が例示でき、好ましいものとしては、ヒドロキシプロピルセルロース中で見られる、式「−ＣＨ2−ＣＨ（ＣＨ3）−ＯＨ」で表されるものが例示できる。
【００３０】
置換基における「ヒドロキシアルキル基の一つ以上の炭素原子が酸素原子で置換されたエーテル結合を有する基」としては、好ましいものとして、ヒドロキシプロピルセルロース中で見られる、一般式「（−ＣＨ2−ＣＨ（ＣＨ3）−Ｏ）mＨ（式中、ｍは２以上の整数である。）」で表されるものが例示できる。
置換基におけるカルボキシアルキル基としては、アルキル基の一つの水素原子がカルボキシ基（−ＣＯＯＨ）で置換された一価の基が例示できる。
【００３１】
置換基におけるアルキルカルバモイル基としては、カルバモイル基の一つ又は二つの水素原子がアルキル基で置換された一価の基が例示できる。アルキル基で置換された水素原子が二つである場合、二つのアルキル基は互いに同一でも異なっていても良い。
置換基が二つ以上である場合、これら置換基は互いに同一でも異なっていても良い。すなわち、すべての置換基が互いに異なっていても良いし、一部の置換基が互いに同一でも良く、すべての置換基が互いに同一でもあっても良い。
置換基の置換位置は特に限定されない。
【００３２】
多糖類又はその誘導体の塩としては、多糖類又はその誘導体を構成する分子中の、例えば、カルボキシ基（−ＣＯＯＨ）、スルホン酸基（−ＳＯ3Ｈ）、水酸基（−ＯＨ）、リン酸基（−Ｐ（＝Ｏ）−（ＯＨ）2）等の水素イオン（Ｈ+）が解離し得る一つ以上の基において、水素イオンがその他のカチオンに置換されているものが例示できる。
【００３３】
水素イオンが置換されるカチオンとしては、一つの原子に由来するものであれば、リチウムイオン、ナトリウムイオン、カリウムイオン等のアルカリ金属イオン；マグネシウムイオン、カルシウムイオン等のアルカリ土類金属イオン；鉄イオン、銅イオン、銀イオン、亜鉛イオン等の遷移金属イオン等が例示でき、複数の原子から構成される分子に由来するものであれば、アンモニウムイオン等が例示できる。
【００３４】
多糖類は、天然多糖類が好ましく、セルロースがより好ましい。また、多糖類は、質量平均分子量が１×１０4〜１×１０9であることが好ましい。
（メタ）アクリル系樹脂は、架橋型及び非架橋型のいずれでも良く、ポリ（メタ）アクリレート、ポリメタクリル酸メチル（ＰＭＡ）等、公知のもので良いが、アクリル系樹脂であることが好ましい。
【００３５】
鉱物系物質は、ケイ酸アルミニウムマグネシウム、有機ヘクトライト、スメクタイト、無水ケイ酸等、公知のもので良く、特に限定されない。
【００３６】
また、剪断減粘性付与剤としては、４−オキシエチレンオレイルエーテルリン酸又はその塩等の界面活性剤で、特定のｐＨ域で剪断減粘性を示すものも使用できる。ここで、界面活性剤は、比較的高分子量であるものが好ましく、例えば、分子量が２５０以上のものが例示できるが、これに限定されるものではない。
【００３７】
剪断減粘性付与剤としては、市販品を使用しても良く、具体例としては、ＨＰＣ−ＳＬ、ＨＰＣ−Ｌ、ＨＰＣ−Ｍ、ＨＰＣ−Ｈ（以上、日本曹達株式会社製）、アビセルＰＨ−１０１、アビセルＰＨ−１０２、アビセルＰＨ−３０１、アビセルＰＨ−Ｍ０６、ＴＧ−１０１（以上、旭化成株式会社製）等のセルロース及びその誘導体；ケルザン、ケルザンＳ、ケルザンＦ、ケルザンＡＲ、ケルザンＭ、ケルザンＤ（以上、三晶株式会社製）、コージン、コージンＦ、コージンＴ、コージンＫ（以上、株式会社興人製）、イナゲルＶ−７、イナゲル７Ｔ（以上、伊那食品工業株式会社製）等のキサンタンガム；アルカシーガム、ゼータシーガム（以上、伯東株式会社）等のグルコース、グルクロン酸又はラムノースを主鎖とする天然高分子多糖類；レオザン（三唱株式会社製）等のサクシノグルカン；Ｋ１Ａ９６（三唱株式会社製）等のウエランガム；Ｋ１Ａ１１２、Ｋ７Ｃ２４３３（以上、三唱株式会社製）等のラムザンガム；ジャガー８１１１、ジャガー８６００、ジャガーＨＰ−８、ジャガーＨＰ−６０、ジャガーＣＰ−１３（以上、三唱株式会社製）等のグァーガム及びその誘導体；カラギーナン、デキストラン、アルギン酸ナトリウム、ローカストビーンガム、ペクチン（以上、三唱株式会社製）等の天然多糖類；ＰＶＭ／ＭＡクロスポリマー、カルボキシビニルポリマー（以上、三唱株式会社製）、ペミュレンＴＲ−１、ペミュレンＴＲ−２（以上、ＢＦグッドリッチ社製）等のアクリル系水溶性樹脂；ビーガム（ケイ酸アルミニウムマグネシウム）、ベントン（有機ヘクトライト）（以上、三唱株式会社製）、ＶＡＮＧＥＬ−Ｂ、ＶＡＮＧＥＬ−Ｃ、ＶＡＮＧＥＬ−ＥＳ、ＶＡＮＧＥＬ−Ｏ、ＶＥＥＧＵＭ−Ｔ、ＶＥＥＧＵＭ−Ｆ、ＶＥＥＧＵＭ−ＨＶ、ＶＥＥＧＵＭ−ＨＳＫ、ＶＥＥＧＵＭ−ＰＲＯ、ＶＥＥＧＵＭ−Ｄ、ＶＥＥＧＵＭ−ＵＬＴＲＡ、ＶＥＥＧＵＭ−ＰＬＵＳ（以上、米国、Ｒ．Ｔ．ヴァンダービルトＣｏ．ＬＴＤ製）等の鉱物系物質が例示できる。
【００３８】
剪断減粘性付与剤は、一種を単独で使用しても良いし、二種以上を併用しても良い。二種以上を併用する場合、その組み合わせ及び比率は、目的に応じて適宜選択すれば良い。
液体噴射用液体組成物中の剪断減粘性付与剤の含有量は、０．０５〜５質量％であることが好ましく、０．０８〜３．５質量％であることがより好ましい。
【００３９】
剪断減粘性付与剤としては、使用時のｐＨ域の限定が不要で、使用する着色剤の選択の自由度が高く、吐出装置等において接触する部材の腐食等の発生懸念が一層少ないことから、多糖類、多糖類誘導体、多糖類の塩、多糖類誘導体の塩、（メタ）アクリル系樹脂及び鉱物系物質からなる群から選択される一種以上であることが好ましい。
【００４０】
（着色剤）
本発明において、着色剤は、本発明の組成物の用途に応じて適宜選択できる。
例えば、水性の液体噴射用液体に適用する場合には、従来の水性インク組成物で使用される公知の染料又は顔料を着色剤として使用できる。
水性インク組成物で使用される染料としては、直接染料、酸性染料、塩基性染料等が例示できる。
【００４１】
より具体的には、ジャパノールファストブラックＤコンク（Ｃ．Ｉ．ダイレクトブラック１７）、ウォーターブラック１００Ｌ（Ｃ．Ｉ．ダイレクトブラック１９）、ウォーターブラックＬ−２００（Ｃ．Ｉ．ダイレクトブラック１９）、ダイレクトファストブラックＢ（Ｃ．Ｉ．ダイレクトブラック２２）、ダイレクトファストブラックＡＢ（Ｃ．Ｉ．ダイレクトブラック３２）、ダイレクトディープブラックＥＸ（Ｃ．Ｉ．ダイレクトブラック３８）、ダイレクトファストブラックコンク（Ｃ．Ｉ．ダイレクトブラック５１）、カヤラススプラグレイＶＧＮ（Ｃ．Ｉ．ダイレクトブラック７１）、カヤラスダイレクトブリリアントエローＧ（Ｃ．Ｉ．ダイレクトエロー４）、ダイレクトファストエロー５ＧＬ（Ｃ．Ｉ．ダイレクトエロー２６）、アイゼンプリムラエローＧＣＬＨ（Ｃ．Ｉ．ダイレクトエロー４４）、ダイレクトファストエローＲ（Ｃ．Ｉ．ダイレクトエロー５０）、アイゼンダイレクトファストレッドＦＨ（Ｃ．Ｉ．ダイレクトレッド１）、ニッポンファストスカーレットＧＳＸ（Ｃ．Ｉ．ダイレクトレッド４）、ダイレクトファストスカーレット４ＢＳ（Ｃ．Ｉ．ダイレクトレッド２３）、アイゼンダイレクトローデュリンＢＨ（Ｃ．Ｉ．ダイレクトレッド３１）、ダイレクトスカーレットＢ（Ｃ．Ｉ．ダイレクトレッド３７）、カヤクダイレクトスカーレット３Ｂ（Ｃ．Ｉ．ダイレクトレッド３９）、アイゼンプリムラピンク２ＢＬＨ（Ｃ．Ｉ．ダイレクトレッド７５）、スミライトレッドＦ３Ｂ（Ｃ．Ｉ．ダイレクトレッド８０）、アイゼンプリムラレッド４ＢＨ（Ｃ．Ｉ．ダイレクトレッド８１）、カヤラススプラルビンＢＬ（Ｃ．Ｉ．ダイレクトレッド８３）、カヤラスライトレッドＦ５Ｇ（Ｃ．Ｉ．ダイレクトレッド２２５）、カヤラスライトレッドＦ５Ｂ（Ｃ．Ｉ．ダイレクトレッド２２６）、カヤラスライトローズＦＲ（Ｃ．Ｉ．ダイレクトレッド２２７）、ダイレクトスカイブルー６Ｂ（Ｃ．Ｉ．ダイレクトブルー１）、ダイレクトスカイブルー５Ｂ（Ｃ．Ｉ．ダイレクトブルー１５）、スミライトスプラブルーＢＲＲコンク（Ｃ．Ｉ．ダイレクトブルー７１）、ダイボーゲンターコイズブルーＳ（Ｃ．Ｉ．ダイレクトブルー８６）、ウォーターブルー＃３（Ｃ．Ｉ．ダイレクトブルー８６）、カヤラスターコイズブルーＧＬ（Ｃ．Ｉ．ダイレクトブルー８６）、カヤラススプラブルーＦＦ２ＧＬ（Ｃ．Ｉ．ダイレクトブルー１０６）、カヤラススプラターコイズブルーＦＢＬ（Ｃ．Ｉ．ダイレクトブルー１９９）等の直接染料；
アシッドブルーブラック１０Ｂ（Ｃ．Ｉ．アシッドブラック１）、ニグロシン（Ｃ．Ｉ．アシッドブラック２）、スミノールミリングブラック８ＢＸ（Ｃ．Ｉ．アシッドブラック２４）、カヤノールミリングブラックＶＬＧ（Ｃ．Ｉ．アシッドブラック２６）、スミノールファストブラックＢＲコンク（Ｃ．Ｉ．アシッドブラック３１）、ミツイナイロンブラックＧＬ（Ｃ．Ｉ．アシッドブラック５２）、アイゼンオパールブラックＷＨエクストラコンク（Ｃ．Ｉ．アシッドブラック５２）、スミランブラックＷＡ（Ｃ．Ｉ．アシッドブラック５２）、ラニルブラックＢＧエクストラコンク（Ｃ．Ｉ．アシッドブラック１０７）、カヤノールミリングブラックＴＬＢ（Ｃ．Ｉ．アシッドブラック１０９）、スミノールミリングブラックＢ（Ｃ．Ｉ．アシッドブラック１０９）、カヤノールミリングブラックＴＬＲ（Ｃ．Ｉ．アシッドブラック１１０）、アイゼンオパールブラックニューコンク（Ｃ．Ｉ．アシッドブラック１１９）、ウォーターブラック１８７−Ｌ（Ｃ．Ｉ．アシッドブラック１５４）、カヤクアシッドブリリアントフラビンＦＦ（Ｃ．Ｉ．アシッドエロー７：１）、カヤシルエローＧＧ（Ｃ．Ｉ．アシッドエロー１７）、キシレンライトエロー２Ｇ１４０％（Ｃ．Ｉ．アシッドエロー１７）、スミノールレベリングエローＮＲ（Ｃ．Ｉ．アシッドエロー１９）、ダイワタートラジン（Ｃ．Ｉ．アシッドエロー２３）、カヤクタートラジン（Ｃ．Ｉ．アシッドエロー２３）、スミノールファストエローＲ（Ｃ．Ｉ．アシッドエロー２５）、ダイアシッドライトエロー２ＧＰ（Ｃ．Ｉ．アシッドエロー２９）、スミノールミリングエローＯ（Ｃ．Ｉ．アシッドエロー３８）、スミノールミリングエローＭＲ（Ｃ．Ｉ．アシッドエロー４２）、ウォーターエロー＃６（Ｃ．Ｉ．アシッドエロー４２）、カヤノールエローＮＦＧ（Ｃ．Ｉ．アシッドエロー４９）、スミノールミリングエロー３Ｇ（Ｃ．Ｉ．アシッドエロー７２）、スミノールファストエローＧ（Ｃ．Ｉ．アシッドエロー６１）、スミノールミリングエローＧ（Ｃ．Ｉ．アシッドエロー７８）、カヤノールエローＮ５Ｇ（Ｃ．Ｉ．アシッドエロー１１０）、スミノールミリングエロー４Ｇ２００％（Ｃ．Ｉ．アシッドエロー１４１）、カヤノールエローＮＧ（Ｃ．Ｉ．アシッドエロー１３５）、カヤノールミリングエロー５ＧＷ（Ｃ．Ｉ．アシッドエロー１２７）、カヤノールミリングエロー６ＧＷ（Ｃ．Ｉ．アシッドエロー１４２）、スミトモファストスカーレットＡ（Ｃ．Ｉ．アシッドレッド８）、カヤクシルクスカーレット（Ｃ．Ｉ．アシッドレッド９）、ソーラールビンエクストラ（Ｃ．Ｉ．アシッドレッド１４）、ダイワニューコクシン（Ｃ．Ｉ．アシッドレッド１８）、アイゼンボンソーＲＨ（Ｃ．Ｉ．アシッドレッド２６）、ダイワ赤色２号（Ｃ．Ｉ．アシッドレッド２７）、スミノールレベリングブリリアントレッドＳ３Ｂ（Ｃ．Ｉ．アシッドレッド３５）、カヤシルルビノール３ＧＳ（Ｃ．Ｉ．アシッドレッド３７）、アイゼンエリスロシン（Ｃ．Ｉ．アシッドレッド５１）、カヤクアシッドローダミンＦＢ（Ｃ．Ｉ．アシッドレッド５２）、スミノールレベリングルビノール３ＧＰ（Ｃ．Ｉ．アシッドレッド５７）、ダイアシッドアリザリンルビノールＦ３Ｇ２００％（Ｃ．Ｉ．アシッドレッド８２）、アイゼンエオシンＧＨ（Ｃ．Ｉ．アシッドレッド８７）、ウォーターピンク＃２（Ｃ．Ｉ．アシッドレッド９２）、アイゼンアシッドフロキシンＰＢ（Ｃ．Ｉ．アシッドレッド９２）、ローズベンガル（Ｃ．Ｉ．アシッドレッド９４）、カヤノールミリングスカーレットＦＧＷ（Ｃ．Ｉ．アシッドレッド１１１）、カヤノールミリングルビン３ＢＷ（Ｃ．Ｉ．アシッドレッド１２９）、スミノオールミリングブリリアントレッド３ＢＮコンク（Ｃ．Ｉ．アシッドレッド１３１）、スミノールミリングブリリアントレッドＢＳ（Ｃ．Ｉ．アシッドレッド１３８）、アイゼンオパールピンクＢＨ（Ｃ．Ｉ．アシッドレッド１８６）、スミノールミリングブリリアントレッドＢコンク（Ｃ．Ｉ．アシッドレッド２４９）、カヤクアシッドブリリアントレッド３ＢＬ（Ｃ．Ｉ．アシッドレッド２５４）、カヤクアシッドブリリドブリリアントレッドＢＬ（Ｃ．Ｉ．アシッドレッド２６５）、カヤノールミリングレッドＧＷ（Ｃ．Ｉ．アシッドレッド２７６）、ミツイアシッドバイオレット６ＢＮ（Ｃ．Ｉ．アシッドバイオレット１５）、ミツイアシッドバイオレットＢＮ（Ｃ．Ｉ．アシッドバイオレット１７）、スミトモパテントピュアブルーＶＸ（Ｃ．Ｉ．アシッドブルー１）、ウォーターブルー＃１０６（Ｃ．Ｉ．アシッドブルー１）、パテントブルーＡＦ（Ｃ．Ｉ．アシッドブルー７）、ウォーターブルー＃９（Ｃ．Ｉ．アシッドブルー９）、ダイワ青色１号（Ｃ．Ｉ．アシッドブルー９）、スプラノールブルーＢ（Ｃ．Ｉ．アシッドブルー１５）、オリエントソルブルブルーＯＢＣ（Ｃ．Ｉ．アシッドブルー２２）、スミノールレベリングブルー４ＧＬ（Ｃ．Ｉ．アシッドブルー２３）、ミツイナイロンファストブルーＧ（Ｃ．Ｉ．アシッドブルー２５）、カヤシルブルーＡＧＧ（Ｃ．Ｉ．アシッドブルー４０）、カヤシルブルーＢＲ（Ｃ．Ｉ．アシッドブルー４１）、ミツイアリザリンサフィロールＳＥ（Ｃ．Ｉ．アシッドブルー４３）、スミノールレベリングスカイブルーＲエクストラコンク（Ｃ．Ｉ．アシッドブルー６２）、ミツイナイロンファストスカイブルーＢ（Ｃ．Ｉ．アシッドブルー７８）、スミトモブリリアントインドシアニン６Ｂｈ／ｃ（Ｃ．Ｉ．アシッドブルー８３）、サンドランシアニンＮ−６Ｂ３５０％（Ｃ．Ｉ．アシッドブルー９０）、ウォーターブルー＃１１５（Ｃ．Ｉ．アシッドブルー９０）、オリエントソルブルブルーＯＢＢ（Ｃ．Ｉ．アシッドブルー９３）、スミトモブリリアントブルー５Ｇ（Ｃ．Ｉ．アシッドブルー１０３）、カヤノールミリングウルトラスカイＳＥ（Ｃ．Ｉ．アシッドブルー１１２）、カヤノールミリングシアニン５Ｒ（Ｃ．Ｉ．アシッドブルー１１３）、アイゼンオパールブルー２ＧＬＨ（Ｃ．Ｉ．アシッドブルー１５８）、ダイワギニアグリーンＢ（Ｃ．Ｉ．アシッドグリーン３）、アシッドブリリアントミリンググリーンＢ（Ｃ．Ｉ．アシッドグリーン９）、ダイワグリーン＃７０（Ｃ．Ｉ．アシッドグリーン１６）、カヤノールシアニングリーンＧ（Ｃ．Ｉ．アシッドグリーン２５）、スミノールミリンググリーンＧ（Ｃ．Ｉ．アシッドグリーン２７）等の酸性染料；
アイゼンカチロンイエロー３ＧＬＨ（Ｃ．Ｉ．ベーシックイエロー１１）、アイゼンカチロンブリリアントイエロー５ＧＬＨ（Ｃ．Ｉ．ベーシックイエロー１３）、スミアクリルイエローＥ−３ＲＤ（Ｃ．Ｉ．ベーシックイエロー１５）、マキシロンイエロー２ＲＬ（Ｃ．Ｉ．ベーシックイエロー１９）、アストラゾンイエロー７ＧＬＬ（Ｃ．Ｉ．ベーシックイエロー２１）、カヤクリルゴールデンイエローＧＬ−ＥＤ（Ｃ．Ｉ．ベーシックイエロー２８）、アストラゾンイエロー５ＧＬ（Ｃ．Ｉ．ベーシックイエロー５１）、アイゼンカチロンオレンジＧＬＨ（Ｃ．Ｉ．ベーシックオレンジ２１）、アイゼンカチロンブラウン３ＧＬＨ（Ｃ．Ｉ．ベーシックオレンジ３０）、ローダミン６ＧＣＰ（Ｃ．Ｉ．ベーシックレッド１）、アイゼンアストラフロキシン（Ｃ．Ｉ．ベーシックレッド１２）、スミアクリルブリリアントレッドＥ−２Ｂ（Ｃ．Ｉ．ベーシックレッド１５）、アストラゾンレッドＧＴＬ（Ｃ．Ｉ．ベーシックレッド１８）、アイゼンカチロンブリリアントピンクＢＧＨ（Ｃ．Ｉ．ベーシックレッド２７）、マキシロンレッドＧＲＬ（Ｃ．Ｉ．ベーシックレッド４６）、アイゼンメチルバイオレット（Ｃ．Ｉ．ベーシックバイオレット１）、アイゼンクリスタルバイオレット（Ｃ．Ｉ．ベーシックバイオレット３）、アイゼンローダミンＢ（Ｃ．Ｉ．ベーシックバイオレット１０）、アストラゾンブルーＧ（Ｃ．Ｉ．ベーシックブルー１）、アストラゾンブルーＢＧ（Ｃ．Ｉ．ベーシックブルー３）、メチレンブルー（Ｃ．Ｉ．ベーシックブルー９）、マキシロンブルーＧＲＬ（Ｃ．Ｉ．ベーシックブルー４１）、アイゼンカチロンブルーＢＲＬＨ（Ｃ．Ｉ．ベーシックブルー５４）、アイゼンダイヤモンドグリーンＧＨ（Ｃ．Ｉ．ベーシックグリーン１）、アイゼンマラカイトグリーン（Ｃ．Ｉ．ベーシックグリーン４）、ビスマルクブラウンＧ（Ｃ．Ｉ．ベーシックブラウン１）等の塩基性染料が例示できる。
【００４２】
水性の液体噴射用液体組成物で使用される顔料としては、アゾ系顔料、ニトロソ系顔料、ニトロ系顔料、塩基性染料系顔料、酸性染料系顔料、建て染め染料系顔料、媒染染料系顔料、天然染料系顔料等の有機系顔料；黄土、バリウム黄、紺青、カドミウムレッド、硫酸バリウム、酸化チタン、弁柄、鉄黒、カーボンブラック等の無機系顔料が例示できる。
【００４３】
より具体的には、アニリンブラック（Ｃ．Ｉ．５０４４０）、シアニンブラック、ナフトールエローＳ（Ｃ．Ｉ．１０３１６）、ハンザエロー１０Ｇ（Ｃ．Ｉ．１１７１０）、ハンザエロー５Ｇ（Ｃ．Ｉ．１１６６０）、ハンザエロー３Ｇ（Ｃ．Ｉ．１１６７０）、ハンザエローＧ（Ｃ．Ｉ．１１６８０）、ハンザエローＧＲ（Ｃ．Ｉ．１１７３０）、ハンザエローＡ（Ｃ．Ｉ．１１７３５）、ハンザエローＲＮ（Ｃ．Ｉ．１１７４０）、ハンザエローＲ（Ｃ．Ｉ．１２７１０）、ピグメントエローＬ（Ｃ．Ｉ．１２７２０）、ベンジジンエロー（Ｃ．Ｉ．２１０９０）、ベンジジンエローＧ（Ｃ．Ｉ．２１０９５）、ベンジジンエローＧＲ（Ｃ．Ｉ．２１１００）、パーマネントエローＮＣＧ（Ｃ．Ｉ．２００４０）、バルカンファストエロー５Ｇ（Ｃ．Ｉ．２１２２０）、バルカンファストエローＲ（Ｃ．Ｉ．２１１３５）、タートラジンレーキ（Ｃ．Ｉ．１９１４０）、キノリンエローレーキ（Ｃ．Ｉ．４７００５）、アンスラゲンエロー６ＧＬ（Ｃ．Ｉ．６０５２０）、パーマネントエローＦＧＬ、パーマネントエローＨ１０Ｇ、パーマネントエローＨＲ、アンスラピリミジンエロー（Ｃ．Ｉ．６８４２０）、スダーンＩ（Ｃ．Ｉ．１２０５５）、パーマネントオレンジ（Ｃ．Ｉ．１２０７５）、リソールファストオレンジ（Ｃ．Ｉ．１２１２５）、パーマネントオレンジＧＴＲ（Ｃ．Ｉ．１２３０５）、ハンザエロー３Ｒ（Ｃ．Ｉ．１１７２５）、バルカンファストオレンジＧＧ（Ｃ．Ｉ．２１１６５）、ベンジジンオレンジＧ（Ｃ．Ｉ．２１１１０）、ペルシアンオレンジ（Ｃ．Ｉ．１５５１０）、インダンスレンブリリアントオレンジＧＫ（Ｃ．Ｉ．５９３０５）、インダンスレンブリリアントオレンジＲＫ（Ｃ．Ｉ．５９１０５）、インダンスレンブリリアントオレンジＧＲ（Ｃ．Ｉ．７１１０５）、パーマネントブラウンＦＧ（Ｃ．Ｉ．１２４８０）、パラブラウン（Ｃ．Ｉ．１２０７１）、パーマネントレッド４Ｒ（Ｃ．Ｉ．１２１２０）、パラレッド（Ｃ．Ｉ．１２０７０）、ファイヤーレッド（Ｃ．Ｉ．１２０８５）、パラクロルオルトアニリンレッド（Ｃ．Ｉ．１２０９０）、リソールファストスカーレット、ブリリアントファストスカーレット（Ｃ．Ｉ．１２３１５）、ブリリアントカーミンＢＳ、パーマネントレッドＦ２Ｒ（Ｃ．Ｉ．１２３１０）、パーマネントレッドＦ４Ｒ（Ｃ．Ｉ．１２３３５）、パーマネントレッドＦＲＬ（Ｃ．Ｉ．１２４４０）、パーマネントレッドＦＲＬＬ（Ｃ．Ｉ．１２４６０）、パーマネントレッドＦ４ＲＨ（Ｃ．Ｉ．１２４２０）、ファストスカーレットＶＤ、バルカンファストルビンＢ（Ｃ．Ｉ．１２３２０）、バルカンファストピンクＧ（Ｃ．Ｉ．１２３３０）、ライトファストレッドトーナーＢ（Ｃ．Ｉ．１２４５０）、ライトファストレッドトーナーＲ（Ｃ．Ｉ．１２４５５）、パーマネントカーミンＦＢ（Ｃ．Ｉ．１２４９０）、ピラゾロンレッド（Ｃ．Ｉ．１２１２０）、リソールレッド（Ｃ．Ｉ．１５６３０）、レーキレッドＣ（Ｃ．Ｉ．１５５８５）、レーキレッドＤ（Ｃ．Ｉ．１５５００）、アンソシンＢ（Ｃ．Ｉ．１８０３０）、ブリリアントスカーレットＧ（Ｃ．Ｉ．１５８００）、リソールルビンＧＫ（Ｃ．Ｉ．１５８２５）、パーマネントレッドＦ５Ｒ（Ｃ．Ｉ．１５８６５）、ブリリアントカーミン６Ｂ（Ｃ．Ｉ．１５８５０）、ピグメントスカーレット３Ｂ（Ｃ．Ｉ．１６１０５）、ボルドー５Ｂ（Ｃ．Ｉ．１２１７０）、トルイジンマルーン（Ｃ．Ｉ．１２３５０）、パーマネントボルドーＦ２Ｒ（Ｃ．Ｉ．１２３８５）、ヘリオボルドーＢＬ（Ｃ．Ｉ．１４８３０）、ボルドー１０Ｂ（Ｃ．Ｉ．１５８８０）、ボンマルーンライト（Ｃ．Ｉ．１５８２５）、ボンマルーンメジウム（Ｃ．Ｉ．１５８８０）、エオシンレーキ（Ｃ．Ｉ．４５３８０）、ローダミンレーキＢ（Ｃ．Ｉ．４５１７０）、ローダミンレーキＹ（Ｃ．Ｉ．４５１６０）、アリザリンレーキ（Ｃ．Ｉ．５８０００）、チオインジゴレッドＢ（Ｃ．Ｉ．７３３００）、チオインジゴマルーン（Ｃ．Ｉ．７３３８５）、パーマネントレッドＦＧＲ（Ｃ．Ｉ．１２３７０）、ＰＶカーミンＨＲ、ワッチングレッド，モノライトファストレッドＹＳ（Ｃ．Ｉ．５９３００）、パーマネントレッドＢＬ、ファストバイオレットＢ、メチルバイオレットレーキ（Ｃ．Ｉ．４２５３５）、ジオキサジンバイオレット、アルカリブルーレーキ（Ｃ．Ｉ．４２７５０Ａ、Ｃ．Ｉ．４２７７０Ａ）、ピーコックブルーレーキ（Ｃ．Ｉ．４２０９０）、ピーコックブルーレーキ（Ｃ．Ｉ．４２０２５）、ビクトリアブルーレーキ（Ｃ．Ｉ．４４０４５）、フタロシアニンブルー（Ｃ．Ｉ．７４１６０）、ファストスカイブルー（Ｃ．Ｉ．７４１８０）、インダンスレンブルーＲＳ（Ｃ．Ｉ．６９８００）、インダンスレンブルーＢＣ（Ｃ．Ｉ．６９８２５）、インジゴ（Ｃ．Ｉ．７３０００）、ピグメントグリーンＢ（Ｃ．Ｉ．１０００６）、ナフトールグリーンＢ（Ｃ．Ｉ．１００２０）、グリーンゴールド（Ｃ．Ｉ．１２７７５）、アシッドグリーンレーキ、マラカイトグリーンレーキ（Ｃ．Ｉ．４２０００）、フタロシアニングリーン等が例示できる。
【００４４】
また、水性の液体噴射用液体組成物で使用される顔料としては、先に例示したもの以外に、加工顔料も例示できる。
【００４５】
より具体的には、Ｒｅｎｏｌ  Ｙｅｌｌｏｗ  ＧＧ−ＨＷ３０、Ｒｅｎｏｌ  Ｙｅｌｌｏｗ  ＨＲ−ＨＷ３０、Ｒｅｎｏｌ  Ｏｒａｎｇｅ  ＲＬ−ＨＷ３０、Ｒｅｎｏｌ  Ｒｅｄ  ＨＦ２Ｂ−ＨＷ３０、Ｒｅｎｏｌ  Ｒｅｄ  ＦＧＲ−ＨＷ３０、Ｒｅｎｏｌ  Ｒｅｄ  Ｆ５ＲＫ−ＨＷ３０、Ｒｅｎｏｌ  Ｃａｒｍｉｎｅ  ＦＢＢ−ＨＷ３０、Ｒｅｎｏｌ  Ｖｉｏｌｅｔ    ＲＬ−ＨＷ３０、Ｒｅｎｏｌ  Ｂｌｕｅ  Ｂ２Ｇ−ＨＷ３０、Ｒｅｎｏｌ  Ｂｌｕｅ  ＣＦ−ＨＷ３０、Ｒｅｎｏｌ  ＧｒｅｅｎＧＧ−ＨＷ３０、Ｒｅｎｏｌ  Ｂｒｏｗｎ  ＨＦＲ−ＨＷ３０、Ｒｅｎｏｌ  ＢｌａｃｋＲ−ＨＷ３０（以上、クラリアントジャパン株式会社製）、ＵＴＣＯ−００１エロー、ＵＴＣＯ−０１２エロー、ＵＴＣＯ−０２１オレンジ、ＵＴＣＯ−０３１レッド、ＵＴＣＯ−０３２レッド、ＵＴＣＯ−０４２バイオレット、ＵＴＣＯ−０５１ブルー、ＵＴＣＯ−０５２ブルー、ＵＴＣＯ−０６１グリーン、ＵＴＣＯ−５９１ブラック、ＵＴＣＯ−５９２ブラック（以上、大日精化工業株式会社製）、ＭＩＣＲＯＬＩＴＨ  Ｙｅｌｌｏｗ  ４Ｇ−Ａ、ＭＩＣＲＯＬＩＴＨ  Ｙｅｌｌｏｗ  ＭＸ−Ａ、ＭＩＣＲＯＬＩＴＨ  Ｙｅｌｌｏｗ  ２Ｒ−Ａ、ＭＩＣＲＯＬＩＴＨ  Ｂｒｏｗｎ５Ｒ−Ａ、Ｓｃａｒｌｅｔ  Ｒ−Ａ、Ｒｅｄ２Ｃ−Ａ、Ｒｅｄ３Ｒ−Ａ、Ｍａｇｅｎｔａ２Ｂ−Ａ、ＶｉｏｌｅｔＢ−Ａ、Ｂｌｕｅ４Ｇ−Ａ、ＧｒｅｅｎＧ−Ａ（以上、チバスペシャリティケミカルズ株式会社製）等が例示できる。
【００４６】
また、水性の液体噴射用液体組成物で使用される顔料としては、先に例示したもの以外に、市販品である水分散タイプの顔料も例示できる。これら水分散タイプの顔料は、取扱性やインク組成物の生産性が向上する点で好ましい。
【００４７】
水分散タイプの顔料として、より具体的には、無機又は有機顔料の分散体であれば、ｕｎｉｓｐｅｒｓｅシリーズ（チバスペシャリティケミカルズ株式会社製）、Ｈｏｓｔｆｉｎｅシリーズ（クラリアントジャパン株式会社製）、Ｄｉｓｐｅｒｓｅシリーズ、Ｒｙｕｄｙｅシリーズ（以上、大日本インキ化学工業株式会社製）、Ｒｉｏ  Ｆａｓｔシリーズ、ＥＭ  Ｃｏｌｏｒシリーズ（以上、東洋インキ株式会社製）、Ｅｍａｃｏｌシリーズ、Ｓａｎｄｙｅシリーズ（以上、山陽色素株式会社製）、ＦＵＪＩ  ＳＰ  シリーズ（冨士色素株式会社製）、Ｐｏｌｕｘシリーズ（住化カラー株式会社製）等が例示でき、蛍光顔料の分散体であれば、ＮＫＷシリーズ（日本蛍光株式会社製）、コスモカラーシリーズ（東洋ソーダ株式会社製）、シンロイヒ・カラーベースシリーズ（シンロイヒ株式会社製）等が例示できる。
【００４８】
一方、本発明のインク組成物を非水性の液体噴射用液体に適用する場合には、従来の非水性インク組成物で使用される公知の染料又は顔料を着色剤として使用できる。
【００４９】
非水性インク組成物で使用される染料は、特に限定されない。例えば、非水溶性染料であれば、そのインク中の溶剤への溶解性を考慮して、いずれも使用できる。より具体的には、ニグロシンベ−スＥＥ、ニグロシンベ−スＥＥＬ、ニグロシンベ−スＥＸ、ニグロシンベ−スＥＸＢＰ、ニグロシンベ−スＥＢ、オイルイエロー１０１、オイルイエロー１０７、オイルピンク３１２、オイルブラウンＢＢ、オイルブラウンＧＲ、オイルグリーンＢＧ、オイルブルー６１３、オイルブルーＢＯＳ  オイルブラックＨＢＢ、オイルブラック８６０、オイルブラックＢＳ、バリファストイエロー１１０１、バリファストイエロー１１０５、バリファストイエロー３１０８、バリファストイエロー４１２０、バリファストオレンジ２２１０、バリファストオレンジ３２０９、バリファストオレンジ３２１０、バリファストレッド１３０６、バリファストレッド１３０８、バリファストレッド１３５５、バリファストレッド１３６０、バリファストレッド２３０３、バリファストレッド２３２０、バリファストレッド３３０４、バリファストレッド３３０６、バリファストレッド３３２０、バリファストピンク２３１０Ｎ、バリファストブラウン２４０２、バリファストブラウン３４０５、バリファストグリーン１５０１、バリファストブルー１６０３、バリファストブルー１６０５、バリファストブルー１６０７、バリファストブルー１６３１、バリファストブルー２６０６、バリファストブルー２６１０、バリファストブルー２６２０、バリファストバイオレット１７０１、バリファストバイオレット１７０２、バリファストブラック１８０２、バリファストブラック１８０７、バリファストブラック３８０４、同３８０６，同３８０８、同３８１０、同３８２０、同３８３０、スピリットレッド１０バリファストブラック２、オスピーイエローＲＹ、ＲＯＢ−Ｂ、ＭＶＢ３、ＳＰブルー１０５（以上、オリエント化学工業株式会社製）、アイゼンスピロンイエロー３ＲＨ、アイゼンスピロンイエローＧＲＬＨスペシャル、アイゼンスピロンイエローＣ−２ＧＨ、アイゼンスピロンイエローＣ−ＧＮＨ、アイゼンスピロンオレンジ２ＲＨ、アイゼンスピロンオレンジＧＲＨコンクスペシャル、アイゼンスピロンレッドＧＥＨ、アイゼンスピロンレッドＢＥＨ、アイゼンスピロンレッドＧＲＬＨスペシャル、アイゼンスピロンレッドＣ−ＧＨ、アイゼンスピロンレッドＣ−ＢＨ、アイゼンスピロンバイオレットＲＨ、アイゼンスピロンバイオレットＣ−ＲＨ、アイゼンスピロンブラウンＢＨコンク、アイゼンスピロンブラウンＲＨ、アイゼンスピロンマホガニーＲＨ、アイゼンスピロンブルーＧＮＨ、アイゼンスピロンブルー２ＢＮＨ、アイゼンスピロンブルーＣ−ＲＨ、アイゼンスピロンブルーＢＰＮＨ、アイゼンスピロングリーンＣ−ＧＨ、アイゼンスピロングリーン３ＧＮＨスペシャル、アイゼンスピロンブラックＢＮＨ、アイゼンスピロンブラックＭＨ、アイゼンスピロンブラックＲＬＨ、アイゼンスピロンブラックＧＭＨスペシャル、アイゼンスピロンブラックＢＨスペシャル、Ｓ．Ｂ．Ｎ．オレンジ７０３、Ｓ．Ｂ．Ｎ．バイオレット５１０、Ｓ．Ｂ．Ｎ．バイオレット５２１、Ｓ．Ｐ．Ｔ．オレンジ６、Ｓ．Ｐ．Ｔ．ブルー１１１���ＳＯＴピンク１、ＳＯＴブルー４、ＳＯＴブラック１、ＳＯＴブラック６、ＳＯＴブラック１０、ＳＯＴブラック１２、１３リキッド、アイゼンローダミンＢベース、アイゼンメチルバイオレットベース、アイゼンビクトリアブルーＢベース（以上、保土谷化学工業株式会社製）、オイルイエローＣＨ、オイルピンク３３０、オイルブルー８Ｂ、オイルブラックＳ、オイルブラックＦＳスペシャルＡ、オイルブラック２０２０、オイルブラック１０９、オイルブラック２１５、ＡＬイエロー１１０６Ｄ、ＡＬイエロー３１０１、ＡＬレッド２３０８、ネオスーパーイエローＣ−１３１、ネオスーパーイエローＣ−１３２、ネオスーパーイエローＣ−１３４、ネオスーパーオレンジＣ−２３３、ネオスーパーレッドＣ−４３１、ネオスーパーブルーＣ−５５５、ネオスーパーブラウンＣ−７３２、ネオスーパーブラウンＣ−７３３（以上、中央合成化学株式会社製）、オレオゾールファストイエロー２Ｇ、オレオゾールファストイエローＧＣＮ、オレオゾールファストオレンジＧＬ、オレオゾールファストレッドＢＬ、オレオゾールファストレッドＲＬ（以上、田岡化学工業株式会社製）、サビニールイエロー２ＧＬＳ、サビニールイエローＲＬＳ、サビニールイエロー２ＲＬＳ、サビニールオレンジＲＬＳ、サビニールファイアレッドＧＬＳ、サビニールレッド３ＢＬＳ、サビニールピンク６ＢＬＳ、サビニールブルーＲＮ、サビニールブルーＧＬＳ、サビニールグリーン２ＧＬＳ、サビニールブラウンＧＬＳ（以上、サンド社製）、マゼンタＳＰ２４７％、クリスタルバイオレット１０Ｂ２５０％、マラカイトグリーンクリスタルコンク、ブリリアントグリーンクリスタルＨ９０％、スピリットソルブルレッド６４８４３（以上、ホリディ社製）、ネプチューンレッドベース５４３、ネプチューンブルーベース６３４、ネプチューンバイオレットベース６０４、バソニールレッド５４０、バソニールバイオレット６００（以上、ＢＡＳＦ社製）等が例示できる。
【００５０】
非水性の液体噴射用液体組成物で使用される顔料としては、アゾ系顔料、ニトロソ系顔料、ニトロ系顔料、塩基性染料系顔料、酸性染料系顔料、建て染め染料系顔料、媒染染料系顔料、天然染料系顔料等の有機系顔料；黄土、バリウム黄、紺青、カドミウムレッド、硫酸バリウム、酸化チタン、弁柄、鉄黒、カーボンブラック等の無機系顔料等、公知の顔料が例示できる。
【００５１】
より具体的には、ＴＩＴＯＮＥ  ＳＲ−１、ＴＩＴＯＮＥ  ６５０、ＴＩＴＯＮＥ  Ｒ６２Ｎ、ＴＩＴＯＮＥ  Ｒ３Ｌ、ＴＩＴＯＮＥ  Ｒ７Ｅ（以上、堺化学工業株式会社製）、クロノスＫＲ−３１０、クロノスＫＲ−３８０、クロノス４８０（以上、チタン工業株式会社製）、タイピュアＲ−９００、タイピュアＲ−６０２、タイピュアＲ−９６０、タイピュアＲ−９３１（以上、デュポン・ジャパンリミテッド社製）、ＴＩＴＡＮＩＸＪＲ３０１、ＴＩＴＡＮＩＸＪＲ８０５、ＴＩＴＡＮＩＸＪＲ６０２、ＴＩＴＡＮＩＸＪＲ７０１、ＴＩＴＡＮＩＸＪＲ８００（以上、テイカ株式会社製）等の酸化チタン；
Ｓｐｅｃｉａｌ  Ｂｌａｃｋ  ６、Ｓｐｅｃｉａｌ  Ｂｌａｃｋ  Ｓ１７０、Ｓｐｅｃｉａｌ  Ｂｌａｃｋ  Ｓ６１０、Ｓｐｅｃｉａｌ  Ｂｌａｃｋ  ５、Ｓｐｅｃｉａｌ  Ｂｌａｃｋ  ４、Ｓｐｅｃｉａｌ  Ｂｌａｃｋ  ４Ａ、Ｓｐｅｃｉａｌ  Ｂｌａｃｋ  ５５０、Ｓｐｅｃｉａｌ  Ｂｌａｃｋ  ３５、Ｓｐｅｃｉａｌ  Ｂｌａｃｋ  ２５０、Ｓｐｅｃｉａｌ  Ｂｌａｃｋ  １００、Ｐｒｉｎｔｅｘ  １５０Ｔ、同Ｕ、同Ｖ、同１４０Ｕ、同１４０Ｖ、同９５、同９０、同８５、同８０、同７５、同５５Ｐｒｉｎｔｅｘ  、Ｐｒｉｎｔｅｘ  ４５、Ｐｒｉｎｔｅｘ  Ｐ、Ｐｒｉｎｔｅｘ  ＸＥ２，Ｐｒｉｎｔｅｘ  Ｌ６、Ｐｒｉｎｔｅｘ  Ｌ、Ｐｒｉｎｔｅｘ  ３００、Ｐｒｉｎｔｅｘ  ３０、Ｐｒｉｎｔｅｘ  ３、Ｐｒｉｎｔｅｘ  ３５、Ｐｒｉｎｔｅｘ  ２５、Ｐｒｉｎｔｅｘ  ２００、Ｐｒｉｎｔｅｘ  Ａ、Ｐｒｉｎｔｅｘ  Ｇ（以上、デグサ・ジャパン株式会社製）、＃２４００、＃２３５０、＃２３００、＃２２００Ｂ、＃１０００、＃９５０、＃９００、＃８５０、＃ＭＣＦ８８、ＭＡ６００、ＭＡ１００、ＭＡ７、ＭＡ１１，＃５０、＃５２、＃４５、＃４４、＃４０、＃３３，＃３２、＃３０、ＣＦ９、＃２０Ｂ、＃４０００Ｂ（以上、三菱化成工業株式会社製）、ＭＯＮＡＲＣＨ  １３００、ＭＯＮＡＲＣＨ  １１００、ＭＯＮＡＲＣＨ  １０００、ＭＯＮＡＲＣＨ  ９００、ＭＯＮＡＲＣＨ  ８８０、ＭＯＮＡＲＣＨ  ８００、ＭＯＮＡＲＣＨ  ７００、ＭＯＧＵＬ  Ｌ、ＲＥＧＡＬ  ４００Ｒ、ＲＥＧＡＬ  ６６０Ｒ、ＲＥＧＡＬ  ５００Ｒ、ＲＥＧＡＬ  ３３０Ｒ、ＲＥＧＡＬ  ３００Ｒ、ＲＥＧＡＬ  ９９Ｒ、ＥＬＦＴＥＸ  ８、ＥＬＦＴＥＸ  １２、ＢＬＡＣＫ  ＰＥＡＲＬＳ  ２０００（以上、キャボットＣｏ．ＬＴＤ製）、ＲＡＶＥＮ７０００、ＲＡＶＥＮ５７５０、ＲＡＶＥＮ５２５０、ＲＡＶＥＮ５０００、ＲＡＶＥＮ３５００、ＲＡＶＥＮ２０００、ＲＡＶＥＮ１５００、ＲＡＶＥＮ１２５５、ＲＡＶＥＮ１２５０、ＲＡＶＥＮ１２００、ＲＡＶＥＮ１１７０、ＲＡＶＥＮ１０６０、ＲＡＶＥＮ１０４０、ＲＡＶＥＮ１０３５、ＲＡＶＥＮ１０２０、ＲＡＶＥＮ１０００、ＲＡＶＥＮ８９０Ｈ、ＲＡＶＥＮ８９０、ＲＡＶＥＮ８５０、ＲＡＶＥＮ７９０、ＲＡＶＥＮ７８０、ＲＡＶＥＮ７６０、ＲＡＶＥＮ５００、ＲＡＶＥＮ４５０、ＲＡＶＥＮ４３０、ＲＡＶＥＮ４２０、ＲＡＶＥＮ４１０、ＲＡＶＥＮ２２，ＲＡＶＥＮ１６、ＲＡＶＥＮ１４、ＲＡＶＥＮ８２５Ｏｉｌ  Ｂｅａｄｓ、ＲＡＶＥＮＨ２０、ＲＡＶＥＮＣ、Ｃｏｎｄｕｃｔｅｘ  ９７５、Ｃｏｎｄｕｃｔｅｘ  ９００，Ｃｏｎｄｕｃｔｅｘ  ＳＣ（以上、コロンビヤン・カーボン日本株式会社製）等のカーボンブラック；
ＢＳ−６０５、ＢＳ−６０７（以上、東洋アルミ株式会社製）、ブロンズパウダーＰ−５５５、ブロンズパウダーＰ−７７７（以上、中島金属箔工業株式会社製）、ブロンズパウダー３Ｌ５、ブロンズパウダー３Ｌ７（以上、福田金属箔工業株式会社製）等の金属粉顔料；
黒色酸化鉄、低次性酸化チタン、黄色酸化鉄、赤色酸化鉄、群青、紺青、コバルトブルー、クロムグリーン、酸化クロム等の無機顔料；
ハンザエロー−１０Ｇ、ハンザエロー−５Ｇ、ハンザエロー−３Ｇ、ハンザエロー−４、ハンザエロー−ＧＲ、ハンザエロー−Ａ、ベンジジンエロー、パーマネントエローＮＣＧ、タートラジンレーキ、キノリンエロー、スダーン１、パーマネントオレンジ、インダスレンブリリアントオレンジＧＮ、パーマネントブラウンＦＧ、パラブラウン、パーマネントレッド４Ｒ、ファイヤーレッド、ブリリアントカーミンＢＳ、ピラゾンレッド、レーキレッドＣ、キナクリドンレッド、ブリリアントカーミン６Ｂ、ボルドー５Ｂ、チオインジゴレッド、ファストバイオレットＢ、ジオキサジンンバイオレット、アルカリブルーレーキ、フタロシアニンブルー、インジゴ、アシッドグリーンレーキ、フタロシアニングリーン等の有機顔料；
硫化亜鉛、珪酸亜鉛、硫酸亜鉛カドミウム、硫化カルシウム、硫酸ストロンチウム、タングステン酸カルシウム等の無機蛍光顔料が例示できる。
【００５２】
非水性の液体噴射用液体組成物で使用される顔料は、油溶性樹脂中で分散した状態の顔料チップとして使用することにより、インクの製造適性が向上する。
【００５３】
顔料チップとして、より具体的には、ＮＣ７９０ホワイト、Ｌ１／８レッドＦ３ＲＫ−７０、Ｌ１／８ブラックＭＡ１００、Ｌ１／８イエローＮ１Ｆ、Ｌ１／８オレンジ５０１、Ｌ１／８ブラウン５Ｒ、Ｌ１／８ブルーＫＬＧ、ＮＣＬ１／８バイオレットＰＲＬ５０（以上、太平化学社製）等が例示できる。
【００５４】
着色剤は、一種を単独で使用しても良いし、二種以上を併用しても良い。二種以上を併用する場合、その組み合わせ及び比率は、目的に応じて適宜選択すれば良い。
【００５５】
液体噴射用液体組成物中の着色剤の含有量は、０．５〜３０質量％であることが好ましく、１〜２５質量％であることがより好ましい。下限値以上とすることで、一層十分な濃度で情報記録でき、例えば、文字も一層容易に認識できるようになる。また、上限値以下とすることで、チップ内に充填されたインクのドライアップの増長に伴う書き出し性能の悪化を抑制する一層高い効果が得られる。
【００５６】
本発明の液体噴射用液体を、水性のインクジェット用インクに適用する際、着色剤として顔料を使用する場合には、顔料を安定に分散させるために分散剤を使用しても良い。
【００５７】
水性インク用の分散剤としては、通常使用される水溶性樹脂、水可溶性樹脂、アニオン系又はノニオン系の界面活性剤等が例示できる。より具体的には、高分子分散剤（水溶性樹脂、水可溶性樹脂）であれば、リグニンスルホン酸塩、セラック等の天然高分子；ポリアクリル酸塩、スチレン−アクリル酸共重合体の塩、ビニルナフタレン−マレイン酸共重合体の塩、β−ナフタレンスルホン酸ホルマリン縮合物のナトリウム塩、リン酸塩等の陰イオン性高分子；ポリビニルアルコール、ポリエチレングリコール等の非イオン性高分子が例示できる。また、界面活性剤であれば、アルキル硫酸塩、ポリオキシエチレンアルキルエーテル硫酸塩、ポリオキシエチレンアルキルエーテル酢酸塩、アルキルスルホカルボン酸塩、α−オレフィンスルホン酸塩、アルキルリン酸塩、ポリオキシエチレンアルキルエーテルリン酸塩等の陰イオン界面活性剤；ポリオキシエチレンアルキルエーテル類、ソルビタンアルキルエステル類、ポリオキシエチレンソルビタンアルキルエステル類等の非イオン性界面活性剤が例示できる。
【００５８】
本発明の液体噴射用液体を、非水性のインクジェット用インクに適用する際、着色剤として顔料を使用する場合には、顔料を安定に分散させるために分散剤を使用しても良い。
【００５９】
非水性インク用の分散剤としては、通常使用される高分子分散剤、アニオン系又はノニオン系の界面活性剤等が例示できる。より具体的には、高分子分散剤であれば、スチレン−ブタジエン−スチレン共重合体、スチレン−アクリル酸共重合体、スチレン−アクリル酸アルキルエステルを主成分とした共重合体、スチレン−マレイン酸共重合体、スチレン−マレイン酸アルキルエステルを主成分とした共重合体等の油溶性高分子が例示できる。また、界面活性剤であれば、アルキル硫酸塩、ポリオキシエチレンアルキルエーテル硫酸塩、Ｎ−アシルアミノ酸、Ｎ−アシルアミノ酸の塩、Ｎ−アシルメチルタウリン塩、ポリオキシエチレンアルキルエーテル酢酸塩、アルキルスルホカルボン酸塩、α−オレフィンスルホン酸塩、アルキルリン酸塩、ポリオキシエチレンアルキルエーテルリン酸塩等の陰イオン界面活性剤；ポリオキシエチレンアルキルエーテル類、ソルビタンアルキルエステル類、ポリオキシエチレンソルビタンアルキルエステル類等の非イオン性界面活性剤が例示できる。
【００６０】
分散剤は、一種を単独で使用しても良いし、二種以上を併用しても良い。二種以上を併用する場合、その組み合わせ及び比率は、目的に応じて適宜選択すれば良い。
【００６１】
液体噴射用液体組成物中の分散剤の含有量は、該分散剤が水性用及び非水性用のいずれかによらず、０．１〜１５質量％であることが好ましい。下限値以上とすることで、一層良好な分散効果が得られ、上限値以下とすることで、液体噴射用液体中の含有成分の溶解バランスを一層向上させることができる。
【００６２】
本発明において、溶剤としては、例えば、ノズル口における液体噴射用液体の乾燥防止、低温時におけるインクの凍結防止等の目的で使用される水溶性有機溶剤が例示できる。
【００６３】
このような乾燥又は凍結防止等のための水溶性有機溶剤として、より具体的には、エチレングリコール、ジエチレングリコール、トリエチレングリコール、プロピレングリコール、ポリエチレングリコール、ヘキシレングリコール、１，３−ブチレングリコール、チオジエチレングリコール、グリセリン等の多価アルコール類；２−ピロリドン、Ｎ−メチル−２−ピロリドン等のアミド類；トリエタノールアミン等の多価アルコールアミン類が例示できる。
【００６４】
水溶性有機溶剤は、水と併用することが好ましい。
水溶性有機溶剤の液体噴射用液体組成物中の含有量は、５〜５０質量％であることが好ましい。
また、水溶性有機溶剤と水との、液体噴射用液体組成物中の総含有量は、１０〜９０質量％であることが好ましい。
また、溶剤としては、例えば、着色剤を溶解させる溶剤又は分散させる分散媒として、各種有機溶剤が例示できる。
【００６５】
このような着色剤を溶解又は分散させるための有機溶剤として、より具体的には、アセトン、ジメチルケトン、ジフェニルケトン等のケトン類；メタノール、エタノール、１−プロパノール、２−プロパノール、１−ブタノール、２−メチル−１−プロパノール、ベンジルアルコール等のアルコール類；酢酸エチル、酢酸ブチル、酢酸アミル、モノメチルエーテルアセテート、プロピレングリコールモノメチルアセテート等のエステル類；メチルシクロヘキサン、エチルシクロヘキサン等の脂環式炭化水素；トルエン、ベンゼン等の芳香族炭化水素が例示できる。
【００６６】
着色剤を溶解又は分散させるための有機溶剤の、液体噴射用液体組成物中の含有量は、５〜９０質量％であることが好ましい。下限値以上とすることで、一層良好な溶解又は分散効果が得られ、不溶物や凝集物の発生を抑制する一層高い効果が得られる。また、上限値以下とすることで、液体噴射用液体粘度の低下に伴う吐出量の増加の抑制や液体噴射用液体吐出の安定性向上に一層高い効果が得られる。
【００６７】
有機溶剤は、一種を単独で使用しても良いし、二種以上を併用しても良い。二種以上を併用する場合、その組み合わせ及び比率は、目的に応じて適宜選択すれば良い。
液体噴射用液体組成物中の溶剤と水との総含有量は、含有する成分や目的に応じて適宜調節すれば良く、特に限定されないが、３〜９５質量％であることが好ましい。水は、目的に応じて液体噴射用液体組成物中に含有されていても良いし、されていなくても良い。
【００６８】
本発明の液体噴射用液体組成物は、剪断減粘性付与剤、着色剤、溶剤及び必要に応じて分散剤以外に、これらに該当しないその他の成分を含有していても良い。
その他の成分としては、防錆剤、防腐剤、消泡剤、糸曳き性付与剤、レベリング性付与剤、発色助剤、定着剤等の各種添加剤が例示できる。これら添加剤は、インクジェット用インクの分野で通常使用される公知のもので良い。
【００６９】
その他の成分は、一種を単独で使用しても良いし、二種以上を併用しても良い。二種以上を併用する場合、その組み合わせ及び比率は、目的に応じて適宜選択すれば良い。
そ  の他の成分の含有量は、目的に応じて適宜調節すれば良く、特に限定されない。
【００７０】
本発明の液体噴射用液体は、従来の液体噴射用液体と同様の方法で製造できる。
例えば、原料である各成分を添加し、ボールミル、ビーズミル、ロールミル、ヘンシェルミキサー、プロペラ撹拌機、ホモジナイザー、ホモミキサー又はニーダー等の装置を使用して、十分に撹拌及び混合して配合すれば良い。この時、すべての成分を添加してから、これらを撹拌及び混合しても良いし、一部又はすべての成分を順次添加しながら、撹拌及び混合しても良い。
【００７１】
各成分を配合して得られた組成物は、ろ過や遠心分離に供して、粗大粒子や気体を除去しても良い。
各成分の配合時の温度は、例えば、１５〜３５℃とすることができるが、これに限定されない。配合時間は、その他の条件を考慮して適宜調節すれば良い。
【００７２】
各成分の配合時又は配合後には、混合物に対して、加熱や冷却等の温度調整、加圧や減圧等の圧力調整、不活性ガス置換等の雰囲気調整を行っても良い。
例えば、剪断減粘性付与剤を十分に膨潤させるために、得られた液体噴射用液体を４０〜９０℃で短時間静置したり、４０〜７０℃で攪拌及び混合したりすることで、一層良好な品質の液体噴射用液体を得られることがある。
【００７３】
また、液体噴射用液体の温度を低く維持（例えば、０〜３０℃）することにより、品質の経時劣化が一層抑制されたインク組成物を得られることがある。
液体噴射用液体製造時の各操作は、一種を単独で行っても良いし、二種以上を組み合わせて行っても良い。二種以上を組み合わせて行う場合、これら操作の組み合わせ及び回数は、目的に応じて適宜選択すれば良い。
【実施例】
【００７４】
以下、具体的な実施例により、本発明についてより詳細に説明する。ただし、本発明は以下に示す実施例に何ら限定されるものではない。
実施例中の各成分を含有している箇所にのみ、図１において数字を記載している。図１において、−（ハイフン）で示す箇所は、その成分が含有されていないことを示す。実施例中の数字の単位は「重量部」である。
【００７５】
実施例１乃至３及び比較例１乃至４は、全て水性インクであるため、各例における他の溶剤に比較して、溶剤として水を大量に使用した。他の溶剤は、実施例２と３のみ、酢酸ヘキシルを含んでおり、比較例1のみ２−ピロリドンと３−メチル−２−オキサゾリジノンを含んでいない。
また、定着樹脂としては、各例において、ジョンクリル７１１を使用した。各例の着色剤は、アイゼンスピロンブラックの黒系着色剤とした。もちろん、実施例は、その他の色系の着色剤に応用可能である。さらに、分散剤としては、各例でポリオキシエチレンソルビタンモノヤシ油脂肪酸エステルを用いた。
【００７６】
以下、特に各例において、無機粒子（中空粒子）、マイクロカプセル、香料成分に特徴を持たせ、図１の通りに配合している。
無機粒子（中空粒子）は、マグチューブ、カーボンナノチューブ及びシリナックスの３種から1種または２種を実施例１乃至３にそれぞれ配合し、比較例１乃至４には配合していない。この他、無機粒子（中空粒子）は、実施例において、全３種用いることも可能である。
【００７７】
次に、実施例１のみ、無機粒子（中空粒子）ではない剪断減粘性付与剤であるケルザンＡＲを配合し、比較例４のみ、ゼラチンによってなるマイクロカプセルを配合した。
また、香料成分は、実施例１乃至３において、ジャスミンアブソリュート、レモングラス精油、アルデヒドＣ−８及びクマリンの４種から1種または２種を配合した。また香料成分は、比較例１において配合せず、比較例２乃至４において、上述した４種のうちそれぞれ１種を配合するようにした。
【００７８】
そして、実施例１乃至３の粘度については、温度２５℃、せん断速度１００００ｓ-1において、３乃至３０ｍＰａ・ｓであるし、香料成分の分散安定性が所望性能を満足した。一方で、比較例１、２、４の粘度については、温度２５℃、せん断速度１００００ｓ-1において、３乃至３０ｍＰａ・ｓの範囲外である。比較例３は、粘度が温度２５℃、せん断速度１００００ｓ-1において、３乃至３０ｍＰａ・ｓの範囲内であるが、剪断減粘性付与剤が添加されておらず、香料が無機粒子（中空粒子）に包含されていないため、分散安定性が付与できず、液体噴射用液体と香料成分がタンク内で分離してしまい、噴射孔から噴射された液体噴射用液体に香は付与されていなかった。
【００７９】
以上のように配合した結果、図２に示すような評価を実施した。評価する印字の環境は、実施例１乃至３、及び比較例１乃至４で得た液体噴射用液体を液体噴射記録装置（３６０ｄｐｉ、駆動周波数８ｋＨｚ、ノズル数５０８）でＰＶＣフィルム上に一面に印字した。
【００８０】
（芳香）
実施例１乃至３及び比較例１乃至４の液体噴射用液体をＰＶＣフィルム上にベタ印字し、３０分間放置後、印字物の芳香について比較を行った。
○：芳香あり
×：芳香なし
（芳香の持続性）
実施例１乃至３及び比較例１乃至４の液体噴射用液体をＰＶＣフィルム上にベタ印字し、１０日間放置後、印字物の芳香について比較を行った。
○：芳香あり
×：芳香なし
（分散安定性）
実施例１乃至３及び比較例１乃至４の液体噴射用液体を透明ガラス瓶に封入して、５０℃で３ヶ月放置したときの内容物の分離の有無を確認した。
○：分離なし
×：分離有り
（香油含浸材／内包剤の溶出）
実施例１乃至３及び比較例１乃至４の液体噴射用液体を透明ガラス瓶に封入して、５０℃で３ヶ月放置した後に、経時前後における粒度分布測定結果を比較して含浸材／内包材の粒径変化を確認した。
○：変化率が２０％以下
×：変化率が２０％より大きい
実施例１乃至３は、各評価項目で○を付けるに値する、芳香作用が付与され、且つ芳香作用を持続させるために、香料成分を安定的に溶解、分散することができる優れた液体噴射用液体であると言える。
【００８１】
一方で、比較例１、２、４が吐出不可となってしまった。「吐出不可」とは、ノズル穴からインク滴が分離せず飛ばない状態を示している。そのため、比較例１、２、４の「芳香」および「芳香の持続性」の項目は、評価できなかった。液体噴射用液体は、含有される成分によっては、このように吐出できないという状況になるものもあるが、吐出できないのでは、液体噴射用液体として本来はその性能を評価することができない。ただし、「分散安定性」の評価項目は、吐出しない環境において評価することができるため、比較例１、２、４は、「分散安定性」を評価して図２に記載している。また、比較例４は香料を無機粒子（中空粒子）に包含させて添加しているため、「香油含浸材／内包材の溶解性」の評価も行った。
【００８２】
この他、比較例３においては、図２に示すような×の付いた評価結果となり、本願発明の内容に沿う内容ではない。「×」とは、ノズル穴からインク滴は吐出されるものの、所望の印字結果とならなかった状態を示している。また、比較例４のように、壁材に有機物を使用したマイクロカプセルの場合、内包させる香料成分への溶解性の他に、分散させる液体噴射用液体に使用する溶剤に対する溶解性も考慮しなくてはならず、図らずも液体噴射用液体の組成に制限を与え、所望の性能を液体噴射用液体に付与できない。
【００８３】
なお、これらの液体噴射用液体は、液体噴射ヘッドから吐出されることによって使用される。液体噴射ヘッドの構成は、圧電素子によってチャネルが形成されたアクチュエータープレートと、前記チャネルに液体を供給する液体室が形成された液体室プレートと、被記録媒体に向けて前記液体噴射用液体を吐出するノズルが形成されたノズルプレートとを有する形態が一般的であり、本発明における液体噴射用液体が使用できる構成であれば、特に限定されるものではない。
【００８４】
さらに、上述した液体噴射ヘッドは、液体噴射装置で使用される。液体噴射装置の構成は、被記録媒体を搬送する一対の搬送手段と、前記液体噴射ヘッドに液体噴射用液体を供給する液体供給手段と、前記液体噴射ヘッドを被記録媒体の搬送方向と略直交する方向に走査させる走査手段とを備えている形態が一般的であり、本発明における液体噴射用液体が使用できる構成であれば、特に限定されるものではない。
【図１】
2012246396.tif 000003
【図２】
2012246396.tif 000004